(57)【要約】【課題】手に持って手軽な操作で身体の肩部、首部、背部、腰部、脇の下部等の所望部位をマッサージすることが可能であり、マッサージをしたいと望む身体部位に対して簡単な操作で押圧力を作用させながら、押圧力の調整を行うことができるフレキシブルマッサージ機を提供する。【解決手段】複数の振動子を配設すると共に、各振動子の両側に形成した開口部間の内部には一対のベアリング支持部が形成され、夫々のベアリング支持部に設けられた一対のベアリングの間にはアンバランサが設けられ、このアンバランサとその両側のベアリングにおいて同軸をなす軸受部が各振動子間においてフレキシブルシャフトで連結されると共に、フレキシブルシャフトの保護管の端部を各振動子の開口部に結合し、該フレキシブルシャフトの全長の一端を取手部材に回動自在に結合する一方、フレキシブルシャフトの全長の他端を取手兼用ケースに収容したモータに結合した。【選択図】図１
2013039318.tif 000002
【特許請求の範囲】
【請求項１】
複数の振動子を所定間隔をあけて配設すると共に、各振動子の両側に形成した開口部間の内部には中央に間隔をあけて一対のベアリング支持部が形成され、夫々のベアリング支持部に設けられた一対のベアリングの間には偏心軸を有するウェイトからなるアンバランサが設けられ、このアンバランサとその両側のベアリングにおいて同軸をなす軸受部が各振動子間においてフレキシブルに屈曲するフレキシブルシャフトで連結されると共に、各振動子間のフレキシブルシャフトの外周を保護する保護管の端部を各振動子の開口部に結合し、該フレキシブルシャフトの全長の一端を取手部材に回動自在に結合する一方、フレキシブルシャフトの全長の他端を取手兼用ケースに収容したモータに結合したことによって、各振動子内のアンバランサが取手兼用ケース内のモータによって偏心回転するようにしたことを特徴とするフレキシブルマッサージ機。
【請求項２】
各振動子間に設けられたフレキシブルシャフトと各フレキシブルシャフトを保護する保護管とを同様の曲率半径で屈曲する長さと硬さに調整したことによって、各フレキシブルシャフトが各保護管の内周面に接触しない状態で屈曲するようにしたことを特徴とする請求項１記載のフレキシブルマッサージ機。
【請求項３】
各振動子に設けられたアンバランサとその両側のベアリングにおいて同軸をなす軸受部が各振動子間においてフレキシブルシャフトで結合された構成は、該軸受部の軸穴に挿通した１本のワイヤで形成したワイヤシャフトがアンバランサの外周から軸受部の軸穴に向けて螺入した止めネジで固定されたことを特徴とする請求項１又は２記載のフレキシブルマッサージ機。
【請求項４】
各振動子に設けられたアンバランサとその両側のベアリングにおいて同軸をなす軸受部が各振動子間においてフレキシブルシャフトで結合された構成は、各アンバランサと一体的に形成された軸受部の両側に突出する軸部を各ベアリングで回転自在に支持すると共に、両側の各軸部にフレキシブル性を有するスプリングで形成したスプリングシャフトで連結したことを特徴とする請求項１又は２記載のフレキシブルマッサージ機。
【請求項５】
各振動子に設けられたアンバランサとその両側のベアリングにおいて同軸をなす軸受部が各振動子間においてフレキシブルシャフトで結合された構成は、各アンバランサと一体的に形成された軸受部の両側に突出する軸部を各ベアリングで回転自在に支持すると共に、両側の各軸部にフレキシブル性を有するゴム又はエラストマーによって形成したシャフトで連結したことを特徴とする請求項１又は２記載のフレキシブルマッサージ機。
【発明の詳細な説明】
【技術分野】
【０００１】
本発明は、身体の肩部、首部、背部、腰部、脇の下部等の所望部位を容易かつ効果的にマッサージすることできるフレキシブルマッサージ機に関する。
【背景技術】
【０００２】
従来から、身体の肩部、首部、背部、腰部、脇の下部等をマッサージする装置として、各種のマッサージ機が開発され、実用化されている。ところが、そのような身体各部をマッサージするマッサージ機は、椅子式のマッサージ装置に組み込まれた機能の一つとして構成されているものが大半であった。
【０００３】
また、下記の特許文献１に記載されているマッサージ装置は、この装置を身体の肩部に引掛けて背部に背負うような状態で使用するものである。また、その構造は、身体の背部に沿って移動しながらマッサージを行う第１マッサージ手段と、身体の肩部を前後から圧迫する第２マッサージ手段と、身体の首部を左右から囲む状態で圧迫する第３マッサージ手段とを有するものである。
【０００４】
従って、この特許文献１のマッサージ装置は、肩部に装置を背負うことによって、肩や背中や首筋をマッサージするようにしたものであり、装置が複雑で、ある程度の重量を有するものである。このため、この装置を肩や背中に背負った状態にすると、装置の重量が身体に負担をかけるという欠点があり、さらにマッサージを施す位置を自由に変えることができないという不都合があった。
【０００５】
さらに、特許文献１のマッサージ装置は、肩部に装置を背負う構造であるが、上記の第１マッサージ手段と第２マッサージ手段と第３マッサージ手段の夫々を身体の方向へ押圧した状態に支持する手段が存在しないため、各マッサージ手段が効率よく作用しないおそれがあった。
【０００６】
なお、従来の椅子型のマッサージ機では、椅子の背部に設けられたマッサージ機に身体の背部をもたせかけることによって身体の背部をマッサージ機に押圧することが可能であるが、特許文献１の装置では、このように身体の背部を押圧状態で支持することは不可能である。
【先行技術文献】
【特許文献】
【０００７】
【特許文献１】実用新案登録第３０８７８６４号公報
【発明の概要】
【発明が解決しようとする課題】
【０００８】
本発明は、上記の従来装置とは異なり、手に持って扱うことができ、手軽な操作で身体の肩部、首部、背部、腰部、脇の下部等の所望部位をマッサージすることが可能であり、しかもマッサージをしたいと望む身体部位に対して簡単な操作で押圧力を作用させながら、押圧力の調整を行うことができるようにしたフレキシブルマッサージ機を提供することを目的とする。
【課題を解決するための手段】
【０００９】
上記の目的を達成するために、本発明における請求項１のフレキシブルマッサージ機は、複数の振動子を所定間隔をあけて配設すると共に、各振動子の両側に形成した開口部間の内部には中央に間隔をあけて一対のベアリング支持部が形成され、夫々のベアリング支持部に設けられた一対のベアリングの間には偏心軸を有するウェイトからなるアンバランサが設けられ、このアンバランサとその両側のベアリングにおいて同軸をなす軸受部が各振動子間においてフレキシブルに屈曲するフレキシブルシャフトで連結されると共に、各振動子間のフレキシブルシャフトの外周を保護する保護管の端部を各振動子の開口部に結合し、該フレキシブルシャフトの全長の一端を取手部材に回動自在に結合する一方、フレキシブルシャフトの全長の他端を取手兼用ケースに収容したモータに結合したことによって、各振動子内のアンバランサが取手兼用ケース内のモータによって偏心回転するようにしたことを特徴とする。
【００１０】
また、本発明における請求項２のフレキシブルマッサージ機は、請求項１において、各振動子間に設けられたフレキシブルシャフトと各フレキシブルシャフトを保護する保護管とを同様の曲率半径で屈曲する長さと硬さに調整したことによって、各フレキシブルシャフトが各保護管の内周面に接触しない状態で屈曲するようにしたことを特徴とする。
【００１１】
また、本発明における請求項３のフレキシブルマッサージ機は、請求項１又は２において、各振動子に設けられたアンバランサとその両側のベアリングにおいて同軸をなす軸受部が各振動子間においてフレキシブルシャフトで結合された構成は、該軸受部の軸穴に挿通した１本のワイヤで形成したワイヤシャフトがアンバランサの外周から軸受部の軸穴に向けて螺入した止めネジで固定されたことを特徴とする。
【００１２】
また、本発明における請求項４のフレキシブルマッサージ機は、請求項１又は２において、各振動子に設けられたアンバランサとその両側のベアリングにおいて同軸をなす軸受部が各振動子間においてフレキシブルシャフトで結合された構成は、各アンバランサと一体的に形成された軸受部の両側に突出する軸部を各ベアリングで回転自在に支持すると共に、両側の各軸部にフレキシブル性を有するスプリングで形成したスプリングシャフトで連結したことを特徴とする。
【００１３】
また、本発明における請求項５のフレキシブルマッサージ機は、請求項１又は２において、各振動子に設けられたアンバランサとその両側のベアリングにおいて同軸をなす軸受部が各振動子間においてフレキシブルシャフトで結合された構成は、各アンバランサと一体的に形成された軸受部の両側に突出する軸部を各ベアリングで回転自在に支持すると共に、両側の各軸部にフレキシブル性を有するゴム又はエラストマーによって形成したシャフトで連結したことを特徴とする。
【発明の効果】
【００１４】
本発明のフレキシブルマッサージ機は上記のように構成されているため、その使用方法は、フレキシブルシャフトの両端に設けられた取手部材と取手兼用ケースの夫々を使用者の片手ずつで握り、使用者の腕の力でフレキシブルシャフトの全長を張った状態にして、各振動子を身体の肩部、首部、背部、腰部、脇の下部等の所望部位に当てた状態で、取手兼用ケース内のモータを駆動するものである。
【００１５】
そして、上記のようにモータの駆動によって、フレキシブルシャフトが回転すると、各振動子内のアンバランサが偏心回転し、各振動子に振動を発生させることとなる。このとき、使用者の夫々の手で取手部材と取手兼用ケースとを握ってフレキシブルシャフトを張る方向へ引っ張ることにより、身体部位に当てた各振動子の押圧力を微調整することが可能となる。また、このような状態で各振動子に発生した振動が身体の肩部、首部、背部、腰部、脇の下部等の所望部位をマッサージすることにより、凝りをほぐすと共に血行を促進し、疲労を回復することが可能となる。
【００１６】
上記のように、本発明は使用者の夫々の手で握った取手部材と取手兼用ケースの張り方を使用者の腕の力で微調整することが可能であり、しかも使用者の手の操作によって各振動子が身体に当たる部位を微調整することが可能である。このため、非常に簡単な構成及び取扱いによって、通常ならば手が届き難い身体の背部等にも振動子のマッサージ効果を与えることが可能となる。
【００１７】
また、本発明において、各振動子間に設けられたフレキシブルシャフトと、各フレキシブルシャフトを保護する保護管とが、同様の曲率半径で屈曲することによって、回転するフレキシブルシャフトが保護管の内周面に接触しない状態で回転しつつ屈曲することによって、フレキシブルシャフトの回転を円滑に行うことが可能であり、保護管の損傷及び磨耗を防止することが可能となる。
【００１８】
さらに、本発明において、各振動子に設けられたアンバランサとその両側のベアリングにおいて同軸をなす軸受部が各振動子間においてフレキシブルシャフトで結合された構成は、１本のワイヤで形成したワイヤシャフトで構成するか、フレキシブル性を有するスプリングで形成したスプリングシャフトで構成するか、フレキシブル性を有するゴム又はエラストマーによって形成したシャフトで構成することができる。
【００１９】
従って、何れのフレキシブルシャフトであっても、取手兼用ケースに内蔵した１個のモータの回転によって各フレキシブルシャフトにモータの回転力を伝達し、各アンバランサの偏心回転を行うことが可能となる。
【図面の簡単な説明】
【００２０】
【図１】本発明によるフレキシブルマッサージ機の全体図である。
【図２】本発明によるフレキシブルマッサージ機の実施例１における１個の振動子の内部を示す斜視図である。
【図３】本発明によるフレキシブルマッサージ機の実施例１における１個の振動子の内部を示す平面図である。
【図４】本発明によるフレキシブルマッサージ機の実施例１における１個の振動子の断面図である。
【図５】本発明によるフレキシブルマッサージ機の実施例１における１個の振動子におけるワイヤシャフトの取付け状態を示す断面図である。
【図６】本発明によるフレキシブルマッサージ機の実施例２における１個の振動子にスプリングシャフトを取り付けた状態を示す斜視図である。
【図７】本発明によるフレキシブルマッサージ機の実施例２における１個の振動子の両側にスプリングシャフトを取り付けた状態を示す平面図である。
【図８】本発明によるフレキシブルマッサージ機の実施例２における１個の振動子の両側にスプリングシャフトを取り付けた状態を示す断面図である。
【図９】本発明によるフレキシブルマッサージ機の実施例３における１個の振動子の両側にゴム又はエラストマーによって形成したシャフトを取り付けた状態を示す斜視図である。
【図１０】本発明によるフレキシブルマッサージ機の実施例３における１個の振動子の両側にゴム又はエラストマーによって形成したシャフトを取り付けた状態を示す平面図である。
【図１１】本発明によるフレキシブルマッサージ機の実施例３における１個の振動子の両側にゴム又はエラストマーによって形成したシャフトを取り付けた状態を示す断面図である。
【図１２】本発明によるフレキシブルマッサージ機において止めネジがアンバランサと軸受部とに設けられた実施例を示す斜視図である。
【図１３】本発明によるフレキシブルマッサージ機においてアンバランサと軸受部とが一体的に構成された実施例を示す斜視図である。
【図１４】（ａ）〜（ｄ）は、本発明によるフレキシブルマッサージ機の使用状況を示す斜視図である。
【発明を実施するための形態】
【００２１】
以下、本発明の実施例について図面を参照しながら説明する。
【実施例１】
【００２２】
本発明によるフレキシブルマッサージ機１は、図１に示すように、フレキシブルシャフト２で連結した複数の振動子３内のアンバランサ４が取手兼用ケース５内のモータ６によって偏心回転するように構成したものである。なお、図１において、一部の保護管８を破断することによって、内部のフレキシブルシャフト２が見える状態としている。
【００２３】
このようなフレキシブルマッサージ機１の実施例１について詳細に説明する。なお、実施例１は、複数の振動子３を連結するフレキシブルシャフト２がワイヤシャフト１８で構成されたものである。
【００２４】
図１に示すように、本実施例のフレキシブルマッサージ機１は、複数の振動子３を所定間隔をあけて配設している。図１に示す振動子３の数は、１台のフレキシブルマッサージ機１に６個を用いてあるが、この数に特定される必要はなく、フレキシブルマッサージ機１の全長の調整や各振動子３、３間のフレキシブルシャフト２の長さの調整等によって振動子３の数を増減することも可能である。
【００２５】
また、本発明の振動子３は、外周形状を略球形にするのが好ましい。また、各振動子３の外周に複数の突起（不図示）を形成する等によって、振動子３のマッサージ効果を向上する形状にしてもよい。
【００２６】
図２に示す図は、１個の振動子３の外形を半分割した半球形の振動子ケース３ａを示すものであり、この振動子ケース３ａと、図４に示す反対側の半球形の振動子ケース３ｂとを合致して片側の振動子ケース３ａ内に設けられたネジ穴部３ｃに止めネジ３ｄを捻じ込むことにより略球形状の振動子３を形成することが可能である。また、各振動子３の両側に開口部７が形成され、夫々の開口部７の周部は、後述する保護管８の環状凹部８ａ（図３参照）を取り付けるための円形の外方取付部７ａが形成されている。また、この外方取付部７ａの内方には、同様に円形の内方取付部７ｂが形成され、後述するように、外方取付部７ａと内方取付部７ｂとで保護管８の端部２箇所の環状凹部８ａ、８ｂに嵌合することにより固定する構造としている。
【００２７】
また、振動子３の両側の開口部７、７間の内部には、その中央に間隔９をあけて一対のベアリング支持部１０、１０が形成されている。図２に示すベアリング支持部１０は、振動子ケース３ａに設けられた半分の形状を有するものであり、図４に示すように、他方の振動子ケース３ｂに設けられた半分のベアリング支持部１０を合致することによって、円形状のベアリング支持部１０が形成され、その内部にベアリング１１を嵌合する構成としている。
【００２８】
このような構成により、１個の振動子３の内部には中央に所定の間隔９をあけて１対のベアリング１１、１１が取り付けられ、それらの一対のベアリング１１、１１間には偏心軸を有するウェイトからなるアンバランサ４が設けられている。このアンバランサ４の外周には軸方向に向けて２個の止めネジ１２を螺合するネジ穴１３が形成され、各ネジ穴１３に止めネジ１２を螺入することが可能とされている。
【００２９】
また、このアンバランサ４は、図４又は図５に示すように、円盤形状の金属製ウェイトの偏心位置に軸受部１４を固定すると共に、この軸受部１４を左右のベアリング１１、１１の各内輪に固定した構成により、中央のアンバランサ４とその左右のベアリング１１の軸部に共通の軸受部１４を設けた構成としている。
【００３０】
また、図４に示すように、上記のアンバランサ４の外周から軸方向に向けて形成した２個のネジ穴１３は、軸受部１４にも貫通して形成され、各ネジ穴１３に螺入する止めネジ１２の先端に形成された尖り部１２ａを軸受部１４に形成された貫通穴１４ａに向けて螺入することが可能とされている。
【００３１】
従って、軸受部１４の中心に形成された貫通穴１４ａに１本のワイヤシャフト１８を挿通すると共に、止めネジ１２をネジ穴１３に螺入することによって、ワイヤシャフト１８をアンバランサ４に固定した状態に取付けることができる。本実施例において、ワイヤシャフト１８はフレキシブル性を有する１本の金属製ワイヤを用いて形成され、この長尺のワイヤシャフト１８に所定間隔をあけて配した複数の振動子３を上記の方法により連結することが可能となる。
【００３２】
なお、上記の実施例においては、図３又は図４に示すように、アンバランサ４の外周からその内部に向けてネジ穴１３が形成され、このネジ穴１３に止めネジ１２が捩じ込まれ、該止めネジ１２の先端の尖り部１２ａでワイヤシャフト１８を固定するようにしているが、他の実施例として、図１２に示すように構成することも可能である。
【００３３】
即ち、図１２に示す構成は、アンバランサ４とその両側のベアリング１１、１１との間を実施例１の場合よりも長く取り、アンバランサ４とベアリング１１の間の軸受部１４にもネジ穴１３ｂを形成し、このネジ穴１３ｂに止めネジ１２ｂを捩じ込んで、該止めネジ１２ｂの先端の尖り部１２ａ（図４参照）でワイヤシャフト１８を固定することにより、ワイヤシャフト１８の固定力を強化することも可能である。ただし、このようなワイヤシャフト１８の固定方法は、アンバランサ４のネジ穴１３に捩じ込んだ止めネジ１２とアンバランサ４とベアリング１１の間の軸受部１４に設けたネジ穴１３ｂに捩じ込んだ止めネジ１２ｂの両方で固定するほか、いずれか一方の止めネジ１２又は１２ｂで固定するようにしてもよい。なお、この図１２に示す構成は、後述する実施例２又は３においても適用可能である。
【００３４】
また、上記の実施例においては、図４又は図５に示すように、アンバランサ４と軸受部１４とは別体に設けられているが、図１３に示すようにアンバランサ４と軸受部１４とを一体的に形成するようにしてもよい。なお、この図１３に示す構成もまた、後述する実施例２又は３において適用可能である。
【００３５】
また、図３に示すように、各振動子３、３・・・間に設けられたワイヤシャフト１８の外周を保護する保護管８の端部２箇所の環状凹部８ａ、８ｂを各振動子３の開口部７の外方取付部７ａと内方取付部７ｂの２箇所で連結することにより、保護管８の端部の取付け強度を向上するようにしている。このような構成において、保護管８はフレキシブル性を有するコルゲートチューブ等で形成し、ワイヤシャフト１８の外周に遊びをあけて保護すると共に、この保護管８とワイヤシャフト１８とを同様の曲率半径で屈曲するように、夫々の長さと硬さを調整することによって、各ワイヤシャフト１８は各保護管８の内周面に接触しない状態で屈曲することが可能である。
【００３６】
さらに、ワイヤシャフト１８の全長の一端を取手部材１５に回動自在に結合する一方、ワイヤシャフト１８の全長の他端を取手兼用ケース５に収容した電動モータ６に結合している。
【００３７】
このような構成において、取手部材１５は硬質合成樹脂等で製作し、またその外周に滑り止め用のゴム部材で被覆するなどの構成によって、使用者の片手で握り易い構造に形成してもよい。また、取手部材１５の内部には不図示のベアリングを取付け、このベアリングの軸受部にワイヤシャフト１８の一端を固定することによってワイヤシャフト１８を回転自在にしている。
【００３８】
さらに、図１に示すように、取手兼用ケース５は、硬質合成樹脂等で製作すると共に、この取手兼用ケース５の内部に空間を形成してあり、その空間内に電動モータ６と制御基板２１とスイッチ２２とを設け、電動モータ６の回転軸６ａとワイヤシャフト１８の端部とをジョイント６ｂで接続するようにしている。
【００３９】
また、電動モータ６と制御基板２１とスイッチ２２とは互いに電気的に接続され、スイッチ２２の外部に露呈したツマミ２３を回転することによって、電動モータ６のオン、オフを切替えたり、電動モータ６の回転速度を調整することが可能とされている。なお、制御基板２１には電源コード２４が接続され、電源コード２４を介して必要な電源を制御基板２１及び電動モータ６に供給することが可能とされている。
【００４０】
上記の構成により、スイッチ２２を作動して取手兼用ケース５内の電動モータ６を駆動すると、ワイヤシャフト１８の全体が回転すると同時に、各振動子３内のアンバランサ４が偏心回転することによって、各振動子３に振動が発生する。
【００４１】
従って、本発明のフレキシブルマッサージ機１を使用するには、図１４（ａ）〜（ｄ）に示すように、ワイヤシャフト１８の両端に設けられた取手部材１５と取手兼用ケース５の夫々を使用者の片手ずつで握り、図１の取手兼用ケース５内の電動モータ６を駆動する。この電動モータ６の駆動によって、ワイヤシャフト１８が回転すると、各振動子３内のアンバランサ４が偏心回転し、各振動子３に振動が発生する。
【００４２】
このとき、図１４（ａ）〜（ｄ）に示すように、使用者の夫々の手で取手部材１５と取手兼用ケース５とを握ってフレキシブルマッサージ機１を引っ張ることにより、身体部位に当てた各振動子３の押圧力を微調整することができる。
【００４３】
なお、図１４（ａ）〜（ｄ）は、本発明のフレキシブルマッサージ機１を用いて身体の各部をマッサージする使用状況を示す図であり、図１４（ａ）は背部、図１４（ｂ）は首の後部、図１４（ｃ）は腰部、図１４（ｄ）は脇の下部をマッサージする状況を示す。
【００４４】
このように、図１４（ａ）〜（ｄ）の各図に示すように、いずれの身体各部をマッサージする場合でも、手が届き難い身体の各部を容易且つ効率的にマッサージすることができ、各振動子３に発生した振動が、身体の疲労箇所や血行の不良箇所等をマッサージすることにより、その箇所の凝りをほぐすと共に血行を促進し、疲労を回復することが可能となる。
【実施例２】
【００４５】
この実施例のフレキシブルマッサージ機１は、図６〜図８に示すように、各振動子３に設けられたアンバランサ４とその両側に設けられたベアリング１１において同軸をなすように構成された軸受部１６が、アンバランサ４と一体的に形成された構成とされている。そして、この軸受部１６の両側に軸部１６ａ、１６ｂが突出形成され、各軸部１６ａ、１６ｂには、本実施例のフレキシブルシャフト２として用いたスプリングシャフト１９の端部が結合されている。
【００４６】
このような構成において、スプリングシャフト１９の外周には実施例１と同様に保護管８が設けられ、この保護管８においても、スプリングシャフト１９と同様の曲率半径で屈曲するように夫々の長さと硬さを調整することによって、各スプリングシャフト１９は各保護管８の内周面に接触しない状態で屈曲することが可能とされている。
【００４７】
また、各振動子３の内部の構造もまた、実施例１と同様に左右のベアリング１１、１１間で偏心回転するアンバランサ４が設けられている。さらには、スプリングシャフト１９の全長の一端を取手部材１５に回動自在に結合する一方、スプリングシャフト１９の全長の他端を取手兼用ケース５に収容した電動モータ６に結合した構成もまた、図１に示す構造と同様である。
【００４８】
従って、取手兼用ケース５のスイッチ２２を作動して電動モータ６を駆動すると、スプリングシャフト１９の全体が回転すると同時に、各振動子３内のアンバランサ４が偏心回転することによって、各振動子３に振動が発生し、図１４（ａ）〜（ｄ）に示すような操作によって、身体の肩部、首部、背部、腰部、脇の下部等の所望部位に対するマッサージを行うことが可能となる。
【実施例３】
【００４９】
この実施例のフレキシブルマッサージ機もまた、図９〜図１１に示すように、上記の実施例２で述べたと同様に、各振動子３に設けられたアンバランサ４とその両側に設けられたベアリング１１において同軸をなすように構成された軸受部１７がアンバランサ４と一体的に形成された構成とされている。そして、この軸受部１７の両側に軸部１７ａ、１７ｂが突出形成され、各軸部１７ａ、１７ｂには、本実施例のフレキシブルシャフト２として用いたゴム又はエラストマーによって形成したシャフト２０の端部が結合されている。
【００５０】
このような構成において、ゴム又はエラストマーによって形成したシャフト２０の外周には実施例１と同様に保護管８が設けられ、この保護管８においても、ゴム又はエラストマーによって形成したシャフト２０と同様の曲率半径で屈曲するように夫々の長さと硬さを調整することによって、各ゴム又はエラストマーによって形成したシャフト２０は各保護管８の内周面に接触しない状態で屈曲することが可能とされている。
【００５１】
また、各振動子３の内部の構造もまた、実施例１と同様に左右のベアリング１１、１１間で偏心回転するアンバランサ４が設けられている。さらには、ゴム又はエラストマーによって形成したシャフト２０の全長の一端を取手部材１５に回動自在に結合する一方、ゴム又はエラストマーによって形成したシャフト２０の全長の他端を取手兼用ケース５に収容したモータ６に結合した構成もまた、図１に示す構造と同様である。
【００５２】
従って、取手兼用ケース５のスイッチ２２を作動して電動モータ６を駆動すると、ゴム又はエラストマーによって形成したシャフト２０の全体が回転すると同時に、各振動子３内のアンバランサ４が偏心回転することによって、各振動子３に振動が発生し、図１４（ａ）〜（ｄ）に示すような操作によって、身体の肩部、首部、背部、腰部、脇の下部等の所望部位のマッサージを行うことが可能となる。
【産業上の利用可能性】
【００５３】
本発明のフレキシブルマッサージ機は、手に持って扱うことができ、手軽な操作で身体の肩部、首部、背部、腰部、脇の下部等の所望部位をマッサージすることが可能であり、しかもマッサージをしたいと望む身体部位に対して簡単な操作で押圧力を作用させながら、押圧力の調整を行うことができるようにしたフレキシブルマッサージ機として利用することが可能である。
【符号の説明】
【００５４】
１  フレキシブルマッサージ機
２  フレキシブルシャフト
３  振動子
３ａ、３ｂ  振動子ケース
３ｃ  ネジ穴部
３ｄ  止めネジ
４  アンバランサ
５  取手兼用ケース
６  電動モータ
６ａ  回転軸
６ｂ  ジョイント
７  開口部
７ａ  外方取付部
７ｂ  内方取付部
８  保護管
８ａ、８ｂ  保護管の環状凹部
９  間隔
１０  ベアリング支持部
１１  ベアリング
１２、１２ｂ  止めネジ
１２ａ  尖り部
１３、１３ｂ  ネジ穴
１４  軸受部
１４ａ  貫通穴
１５  取手部材
１６  軸受部
１６ａ、１６ｂ  軸部
１７  軸受部
１７ａ、１７ｂ  軸部
１８  ワイヤシャフト
１９  スプリングシャフト
２０  ゴム又はエラストマーによって形成したシャフト
２１  制御板
２２  スイッチ
２３  ツマミ
２４  電源コード
【図１】
2013039318.tif 000003
【図２】
2013039318.tif 000004
【図３】
2013039318.tif 000005
【図４】
2013039318.tif 000006
【図５】
2013039318.tif 000007
【図６】
2013039318.tif 000008
【図７】
2013039318.tif 000009
【図８】
2013039318.tif 000010
【図９】
2013039318.tif 000011
【図１０】
2013039318.tif 000012
【図１１】
2013039318.tif 000013
【図１２】
2013039318.tif 000014
【図１３】
2013039318.tif 000015
【図１４】
2013039318.tif 000016
【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
複数の振動子を所定間隔をあけて配設すると共に、各振動子の両側に形成した開口部間の内部には中央に間隔をあけて一対のベアリング支持部が形成され、夫々のベアリング支持部に設けられた一対のベアリングの間には偏心軸を有するウェイトからなるアンバランサが設けられ、このアンバランサとその両側のベアリングにおいて同軸をなす軸受部が各振動子間においてフレキシブルに屈曲するフレキシブルシャフトで連結されると共に、各振動子間のフレキシブルシャフトの外周を保護する保護管の端部に形成した複数の環状凹部に各振動子の開口部の内部に形成した複数の取付部を嵌合することによって各保護管の端部を各振動子の開口部に結合し、該フレキシブルシャフトの全長の一端を取手部材に回動自在に結合する一方、フレキシブルシャフトの全長の他端を取手兼用ケースに収容したモータに結合したことによって、各振動子内のアンバランサが取手兼用ケース内のモータによって偏心回転するようにしたことを特徴とするフレキシブルマッサージ機。
【請求項２】
前記フレキシブルシャフトは、軸受部の軸穴に挿通した１本のワイヤで形成したワイヤシャフトからなることを特徴とする請求項１記載のフレキシブルマッサージ機。
【請求項３】
前記フレキシブルシャフトは、軸受部の両側に突出する軸部を各ベアリングで回転自在に支持すると共に、両側の各軸部にフレキシブル性を有するスプリングで形成したスプリングシャフトを連結してなる構成としたことを特徴とする請求項１又は２記載のフレキシブルマッサージ機。
【手続補正２】
【補正対象書類名】明細書
【補正対象項目名】０００９
【補正方法】変更
【補正の内容】
【０００９】
上記の問題を達成するために、本発明における請求項１のフレキシブルマッサージ機は、複数の振動子を所定間隔をあけて配設すると共に、各振動子の両側に形成した開口部間の内部には中央に間隔をあけて一対のベアリング支持部が形成され、夫々のベアリング支持部に設けられた一対のベアリングの間には偏心軸を有するウェイトからなるアンバランサが設けられ、このアンバランサとその両側のベアリングにおいて同軸をなす軸受部が各振動子間においてフレキシブルに屈曲するフレキシブルシャフトで連結されると共に、各振動子間のフレキシブルシャフトの外周を保護する保護管の端部に形成した複数の環状凹部に各振動子の開口部の内部に形成した複数の取付部を嵌合することによって各保護管の端部を各振動子の開口部に結合し、該フレキシブルシャフトの全長の一端を取手部材に回動自在に結合する一方、フレキシブルシャフトの全長の他端を取手兼用ケースに収容したモータに結合したことによって、各振動子内のアンバランサが取手兼用ケース内のモータによって偏心回転するようにしたことを特徴とする。
【手続補正３】
【補正対象書類名】明細書
【補正対象項目名】００１０
【補正方法】変更
【補正の内容】
【００１０】
また、本発明における請求項２のフレキシブルマッサージ機は、請求項１において、前記フレキシブルシャフトは、軸受部の軸穴に挿通した１本のワイヤで形成したワイヤシャフトからなることを特徴とする。
【手続補正４】
【補正対象書類名】明細書
【補正対象項目名】００１１
【補正方法】変更
【補正の内容】
【００１１】
また、本発明における請求項３のフレキシブルマッサージ機は、請求項１又は２において、前記フレキシブルシャフトは、軸受部の両側に突出する軸部を各ベアリングで回転自在に支持すると共に、両側の各軸部にフレキシブル性を有するスプリングで形成したスプリングシャフトを連結してなる構成としたことを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】図面
【補正対象項目名】図３
【補正方法】変更
【補正の内容】
【図３】
2013039318.tif 000017